(57)【要約】      （修正有）【課題】  構造及び組み付け操作が簡単で、かつ外観が美麗で表面が損傷を受けにくく,パネルジョイント構造により結合するユニットパネルを提供する。【解決手段】  互いに隣接のパネルの間に介在して該パネル同士を連結するもので、一のパネルの縁部に結合する係合部６と、他のパネルの縁部に結合し、係合部に一のパネルの縁部の長手方向と平行な軸心のまわりに回動可能に係合する被係合部８とを含んだパネルジョイント構造で、係合部が、長手方向と軸心を平行にし、該軸心と平行なスリット１５が形成された筒体１４であり、被係合部が、筒体の中空部に嵌入する嵌入体１６であるパネルジョイント構造である。又、パネル板４と、該パネル板の一の縁部に設けられた係合部と、該パネル板の一の縁部に対向の他の縁部に設けられた被係合部とを備えるユニットパネルであり、複数のユニットパネルがパネルジョイント構造を介して連結されて成る連結パネル構造である。【選択図】  図１
2005105693.tif 000002
【特許請求の範囲】
【請求項１】
互いに隣接のパネルの間に介在して該パネル同士を連結するものであって、一の前記パネルの縁部に結合する係合部と、
他の前記パネルの縁部に結合し、前記係合部に前記一のパネルの縁部の長手方向と平行な軸心のまわりに回動可能に係合する被係合部と
を含んで成るパネルジョイント構造。
【請求項２】
前記係合部が、前記長手方向と軸心を平行にし、該軸心と平行なスリットが形成された筒体であり、前記被係合部が、前記筒体の中空部に嵌入する嵌入体である請求項１に記載のパネルジョイント構造。
【請求項３】
前記嵌入体が、前記他のパネルの縁部の長手方向と軸心を平行にし、該軸心と平行なスリットが形成された他の筒体である請求項２に記載のパネルジョイント構造。
【請求項４】
パネル板と、
該パネル板の一の縁部に設けられた、請求項１乃至３のいずれかに記載のパネルジョイント構造に用いられる前記係合部と、
該パネル板の、該一の縁部に対向の他の縁部に設けられた、請求項１乃至３のいずれかに記載のパネルジョイント構造に用いられる前記被係合部と
を備えるユニットパネル。
【請求項５】
前記パネル板が緩衝板と基板とが貼り合わされて成り、該基板の一の縁部に前記係合部が結合され、該基板の他の縁部に前記被係合部が結合された請求項４に記載のユニットパネル。
【請求項６】
前記基板、前記係合部及び前記被係合部が一体に成形された請求項５に記載のユニットパネル。
【請求項７】
前記基板の表面に、リブが形成された請求項５又は６に記載のユニットパネル。
【請求項８】
複数の、請求項４乃至７のいずれかに記載のユニットパネルが前記パネルジョイント構造を介して連結されて成る連結パネル構造。
【発明の詳細な説明】
【技術分野】
【０００１】
本発明は互いに隣接のパネルの縁部間に介在して該パネル同士を連結するパネルジョイント構造に関する。又、そのパネルジョイント構造により結合して連結パネル構造を形成するユニットパネルに関する。更には、複数のそのユニットパネルが順次連結されて成る連結パネル構造に関する。
【背景技術】
【０００２】
パネルをそれぞれのパネルの縁同士をつきあわせて連結するためのパネルジョイント構造としては、図１５に示すような、箱状体１１０とコーナー 型材１０１から成るパネル構造が開示されている（例えば、特許文献１参照。）。箱状体１１０は、各コーナー 型材１０１間に、サンドイッチパネル１０２がそれぞれ組付けられ、もって箱状をなす。そしてコーナー 型材１０１は、角筒状をなす本体部１０３と、サンドイッチパネル１０２の端部の内側表面板１０７が，組付けられる内側突条部１０４と、本体部１０３の外面１１４に接合 ，組付けられるサンドイッチパネル１０２の端部の突出した外側表面板１０６を、本体部１０３の外面１１４との間で挟み込むように、本体部１０３に付設された板押さえ部１１２と、を有してなる。
【０００３】
又、図１６に示すような、側片２０４、２０４を形成する壁パネル本体２０５の一方の側片２０４に開口孔２０６を形成し、該開口孔２０６を介して露出する接合孔２０９を形成した第一補助部材２１０を同側片２０４の内側に取り付けると共に、同接合孔２０９を上方の大径部２０７と下方の小径部２０８とを連通して形成し、壁パネル本体２０５の他方の側片２０４に取り付け孔２１１を形成し、第二補助部材２１３を同側片２０４の内側に沿わせると共に、膨大部２１６とねじ切り部２１９とから構成される取り付け具２１７のねじ切り部２１９を取り付け孔２１１に挿通すると共に膨大部２１６を同側片２０４から突出させてこれを第二補助部材２１３に取り付けて壁パネルを形成し、一方の壁パネルの取り付け具２１７の膨大部２１６を大径部２０７に挿入して、小径部２０８へとスライドさせてこれを係止させて、壁パネル同士を接合した壁パネル２０１の接合構造が開示されている（例えば、特許文献２参照。）。
【０００４】
しかし、これら従来のパネル構造は恒久的な連結パネル構造の構築には適しているが、壁養生の目的に使用されるような一時的なパネル構造としては構造が複雑でありコストや据付の手間がかかる点で充分でない。又、連結部の隣接のパネル同士の角度は直角あるいは１８０度といった固定されたものであり、多様かつ一時的な連結パネル構造の形状に即応するうえでは問題がある。
【０００５】
一方、養生すべき壁の面、出隅、入隅、あるいはエレベータの室内壁の保護を目的として使用されるパネルとしては、発泡樹脂板、不織布、ベニヤ板が用いられるが、あまりコストをかけられないため外観が美麗でなく、かつ引っかき傷が出来やすかったり、タバコの火を押し付けられたりしていたずらされて損傷することが多い。
【特許文献１】特開平１０−１０１１９０号公報（特許請求の範囲、第１図）
【特許文献２】特開平９−１７７２０５号公報（特許請求の範囲、第１図）
【発明の開示】
【発明が解決しようとする課題】
【０００６】
本発明は、これら問題点に鑑み、構造及び組み付け操作が簡単で、かつ外観が美麗で表面が損傷を受けにくい連結パネル構造及びこの連結パネル構造に好適に用いられるパネルジョイント構造、このパネルジョイント構造により結合してこの連結パネル構造を形成するユニットパネルを提供しようとする。
【課題を解決するための手段】
【０００７】
本発明の要旨とするところは、互いに隣接のパネルの間に介在して該パネル同士を連結するものであって、
一の前記パネルの縁部に結合する係合部と、
他の前記パネルの縁部に結合し、前記係合部に前記一のパネルの縁部の長手方向と平行な軸心のまわりに回動可能に係合する被係合部と
を含んで成るパネルジョイント構造であることにある。
【０００８】
前記係合部は、前記長手方向と軸心を平行にし、該軸心と平行なスリットが形成された筒体であり得、前記被係合部は、前記筒体の中空部に嵌入する嵌入体であり得る。
【０００９】
前記嵌入体は、前記他のパネルの縁部の長手方向と軸心を平行にし、該軸心と平行なスリットが形成された他の筒体であり得る。
【００１０】
又、本発明の要旨とするところは、
パネル板と、
該パネル板の一の縁部に設けられた、前記パネルジョイント構造に用いられる前記係合部と、
該パネル板の、該一の縁部に対向の他の縁部に設けられた、前記パネルジョイント構造に用いられる前記被係合部と
を備えるユニットパネルであることにある。
【００１１】
前記パネル板は緩衝板と基板とが貼り合わされて成り得、該基板の一の縁部に前記係合部が結合され得、該基板の他の縁部に前記被係合部が結合され得る。
【００１２】
前記基板、前記係合部及び前記被係合部は一体に成形され得る。
【００１３】
前記基板の表面にはリブが形成され得る。
【００１４】
更に、本発明の要旨とするところは、複数の、前記ユニットパネルが前記パネルジョイント構造を介して連結されて成る連結パネル構造であることにある。
【発明の効果】
【００１５】
本発明により、構造が簡単で連結部の隣接のパネル同士の角度を任意に設定できるパネルジョイント構造、そのパネルジョイント構造により結合して連結パネル構造を形成するユニットパネル、更には、複数のそのユニットパネルが順次連結されて成る連結パネル構造が提供される。
【００１６】
本発明により、多様な形状の連結パネル構造を短時間に構築できる。
【００１７】
本発明により、構造及び組み付け操作が簡単で、かつ外観が美麗で表面が損傷を受けにくい連結パネル構造が提供される。
本発明によるパネルジョイント構造はジョイントの部分が二重の板により構成されるので、本発明の連結パネル構造を養生材に用い、養生すべき壁の保護を行なうと、特に外部から損傷を受けやすい出隅、入隅の部分がパネルジョイント構造のその二重の板により保護されて確実な保護がなされる。
【発明を実施するための最良の形態】
【００１８】
本発明に係る態様を図面に基づいて詳しく説明する。なお、本明細書においては、各図にわたって記される同じ符号は同一又は同様の部材やものを示す。図１は本発明において用いられるユニットパネル２の態様を示し、図１（ａ）図１（ｂ）はそれぞれ正面図、平面図である。図１において、ユニットパネル２は、パネル板４と、パネル板４の縦方向の一の縁部１０に設けられた係合部６と、パネル板４の、一の縁部１０に対向の他の縁部１２に設けられた被係合部８とから構成される。係合部６は、一の縁部１０と軸心を平行にし、その軸心と平行なスリット１５が形成された筒体１４から成る。被係合部８は、筒体１４の中空部に嵌入する嵌入体１６であり、嵌入体１６は、他の他の縁部１２と軸心を平行にし、その軸心と平行なスリット１８が形成された小径の筒体２０から成る。筒体１４及び筒体２０の長さはパネル板４の縦長方向の長さＬＴに略等しい。
【００１９】
パネル板４は基板２４と緩衝板２６とが貼り合わされてなり、基板２４の対向の縁部がそれぞれ筒体１４と筒体２０とに一体に連接している。基板２４と、筒体１４や筒体２０とは、接着や融着により接合されていてもよい。
【００２０】
互いに隣接のユニットパネル２ａ、２ｂ同士が連結される態様を図２に示す。ユニットパネル２ａ、２ｂは、横ならびでそれぞれの縁部同士をつき合わせて連結される。即ち、ユニットパネル２ａの一の縁部１０ａと、ユニットパネル２ｂの他の縁部１２ｂとが互いに平行な配置でパネルジョイント構造２２を介して連結される。パネルジョイント構造２２は、ユニットパネル２ａの係合部６ａと、ユニットパネル２ｂの被係合部８ｂとで構成され、被係合部８ｂが係合部６ａの中空部に嵌入して、一の縁部１０ａの長手方向と平行な軸心のまわりに回動可能かつ着脱可能に係合してなる。嵌入はスリット１５を経由して、被係合部８ｂを係合部６ａの中空部に押し込むことにより好適に行なわれる。なお、小径の筒体２０にはスリット１８が形成されていなくともよい。更に、嵌入体１６は、小径の円柱体から成ってもよい。
【００２１】
連結されたユニットパネル２ａ、２ｂは保護すべき壁面（養生すべき壁の面やエレベータ室内壁など）３０に沿って保護すべき壁面３０を覆うように配置される。また養生すべき壁の出隅、入隅にも壁の面を覆って配置される。
【００２２】
図２は、ユニットパネル２ａ、２ｂが平面状に連結された態様であり、図３は、ユニットパネル２ａ、２ｂが保護すべき壁面３０の凸のコーナー部分に対応して保護すべき壁面３０の角部を内側にして直角に曲がった状態に連結された態様である。図４は、ユニットパネル２ｃ、２ｄが保護すべき壁面３０の凹のコーナー部分に対応して保護すべき壁面３０の角部を外側にして直角に曲がった状態に連結された態様である。ユニットパネル２ａ、２ｂと、ユニットパネル２ｃ、２ｄとではスリット１５及びスリット１８の位置が異なる。本発明によるパネルジョイント構造はジョイントの部分が二重の板により構成されるので、本発明の連結パネル構造により、養生すべき壁の保護を行なうと、特に外部から損傷を受けやすい出隅、入隅の部分がパネルジョイント構造のその二重の板により保護されて確実な保護がなされる。
【００２３】
図５は、ユニットパネル２ｃ、２ｄとはスリット１５及びスリット１８の位置が異なるユニットパネル２ｅ、２ｆが保護すべき壁面３０の角部を外側にして直角に曲がった状態に連結された他の態様の一例である。
【００２４】
図６にユニットパネル２を保護すべき壁面３０に沿って保護すべき壁面３０を覆うように配置した状態を平面模式図に示す。ユニットパネル２は幅ＨＨが基準化されており、例えば、３０、５０、１００、１２０ｍｍの段階的な値に決められている。覆うべき壁面３０の横幅に合わせて所定の規格幅のユニットパネルを選択してよこならびに連結して配設し、連結パネル構造４０が簡単な操作で構築される。ユニットパネル２の長さ（縦方向長さ）ＨＴ（図１）は例えば１８００〜２０００ｍｍ程の所定の規格長さに決められている。
【００２５】
又、この時、緩衝板２６（図１）は保護すべき壁面３０の壁面に面する側に配置される。これにより、基板２４（図１）が外部と面することになり、緩衝板２６が直接外部から損傷の因となるような引っ掻きやたばこの火の押し付けなどの刺激を受けることがない。
【００２６】
本発明の連結パネル構造は、エレベータの箱内壁面の保護材としても好適に用いられる。この場合、図７に示すように、エレベータの箱内のコントロールパネル４２の上下にわたる部分のユニットパネル２ｇは所定の長さに切断して、コントロールパネル４２を露出させることが容易にできる。コントロールパネル４２の横幅と、コントロールパネル４２の上下に位置するユニットパネル２ｇ、２ｇの合計幅が一致しない場合は、ユニットパネル２ｇ、２ｇをパネルジョイント構造２２の部分を折り目として平面視山形に曲げた構成とすることが出来るので、コントロールパネル４２をきわめて簡単な組み付け操作で露出させることが出来る。
【００２７】
更に、本発明の連結パネル構造を、図８に示すように、互いに対向する側壁６０、６０と側壁６０、６０に挟まれた平面壁６２とから成るコの字形の保護すべき壁面３０ａに配設するときに、平面壁６２の部分に列状にユニットパネル２を順次連結して最後に平面壁６２からはなれる方向に凸の山形形状になって残った連結すべきユニットパネル２ｈ、２ｊのその山形の頂点部６４を平面壁６２の方向に押し込むことにより、山形の頂点部６４に位置する被係合部が係合部に嵌入されて平面壁６２の部分のユニットパネル２の連結が完了し連結されたユニットパネル２が平面壁６２の面に沿って平面状に整然と配設された状態となる。このように、本発明の連結パネル構造においては、簡単な操作で、覆うべき壁の面に沿って連結されたユニットパネル２を、平面状に整然と配設することが出来る。
【００２８】
本発明においては、図９に示すように、ユニットパネル２ｑを構成する基板２４ｒの表面にユニットパネル２ｒの長手方向に延出された多条のリブ８０が形成されてもよい。リブ８０は、ユニットパネル２ｒの縦方向の曲げ剛性の補強に有用であり、又、外観がストライプ状の模様を有することとなるので美的価値を向上させて好ましい。
【００２９】
更に、本発明においては、図１０に示すように、ユニットパネル２ｋを構成する基板２４ｋに中空部６６が形成されていてもよい。中空部６６はユニットパネル２ｋの縦（長手）方向に延出された細長形状であり、複数の中空部６６が互いに平行に簾状の配列状態で形成されている。この構成は、基板２４ｋの軽量化、剛性向上及び断熱性向上に寄与して好ましい。
【００３０】
又、係合部６及び被係合部８の断面形状は円形の他の形状であってもよい。係合部６及び被係合部８の断面形状が四角状（図１１）や、八角状（図１２）であってもよい。図１１、図１２に示す態様は、隣接のユニットパネル同士が平面状に連結されたときと、隣接のユニットパネル同士が直角に連結されたときに被係合部８の係合部６への嵌合状態が安定し、互いのなす角度がその状態から外力により変わりにくく構造が安定し好ましい。
【００３１】
本発明のユニットパネルの他の態様の一例を図１３に示す。図１３に示すユニットパネル２ｐは、係合部６ｐと、被係合部８ｐとを備える。なお、図１３においては、互いに隣接のユニットパネル２ｐ、２ｑの一対を示し、ユニットパネル２ｐの不図示の被係合部は、ユニットパネル２ｑの被係合部８ｐと同じものである。係合部６ｐは、複数の短尺の筒体７０が隙間７８をおいて同軸に並んで、基板２４の一の縁部１０に軸心を一の縁部１０と平行にして、接合されてなる。基板２４と筒体７０とは一体に連接されていてもよい。
【００３２】
又、筒体７０にはその軸心と平行なスリット７１が形成されている。被係合部８ｐは、長尺の筒体７２が基板２４の他の縁部１２に軸心を他の縁部１２と平行にして、複数の接合子７４を介して接合されてなる。接合子７４は、他の縁部１２の長手方向に連なって隙間７８の位置に対応して間をおいて他の縁部１２に接合されている。基板２４、接合子７４及び筒体７２は一体に連接されていてもよい。
【００３３】
図１４に、隣接のユニットパネル２ｐ、２ｑの連結された状態を図１３のＡ−Ａ方向に相当する断面図として示す。図１４（ａ）は平面状の連結状態、図１４（ｂ）は接合子７４が隙間７８（図１３）の間に入って、ユニットパネル２ｐ、２ｑが互いに直角をなす連結状態である。
【００３４】
本発明において用いられる緩衝板２６の素材は柔軟性およびクッション 性を有する比較的嵩高なシ−ト状物であり、弾性樹脂、発泡樹脂、不織布等保護すべき壁面に当接してもその壁面を傷つけない素材から成ることが好ましい。発泡樹脂としては例えば、ポリプロピレン、ポリエチレン、エチレン−酢酸ビニル共重合体、ポリスチレン、ポリ塩化ビニル、或いは各種エラストマ−などの合成樹脂 発泡 体や、天然ゴム、スチレンブタジエンゴム、ウレタンゴム、クロロプレンゴムなどのゴム質発泡 体などが挙げられる。不織布としては例えば天然繊維や合成繊維から成るニードルパンチ不織布などが挙げられる。
【００３５】
係合部６を構成する素材は適度の弾性を有すると、係合部６へ被係合部８を嵌入するときにスリット１５の間隔が開き、嵌入後にその間隔がもとに戻り確実な係合がなされ好ましい。被係合部８を構成する素材も適度の弾性を有すると、係合部６へ被係合部８を嵌入するときにスリット１８の間隔がせばまり、嵌入後にその間隔がもとに戻り確実な係合がなされ好ましい。
【００３６】
基板２４は係合部６や被係合部８とともに樹脂を素材として一体に成形されたものであることが製造コストを低くするうえで好ましい。基板２４が成形樹脂から成ることにより、外観が美麗となり、かつ、外部からの損傷を受けにくい。その樹脂としてはポリウレタン、ポリエステル、ポリアミド、ポリオレフィン（ポリエチレン、ポリプロピレン、エチレン−酢酸ビニル共重合体、エチレン−アクリレート共重合体、エチレン−不飽和カルボン酸（またはその塩）共重合体）、ビニルアルコール系重合体、アクリロニトリル系共重合体、ポリ塩化ビニル、ポリ塩化ビニリデン、ポリアセテート、ポリカーボネートをはじめとする種々の樹脂（エラストマーを含む）及びこれらの樹脂の誘導体があげられる。これらの樹脂から選択される樹脂が混合又は複合されて用いられてもよい。樹脂は熱可塑性樹脂、熱硬化性樹脂のいずれであってもよい。これらの樹脂には可塑剤、着色材、充填材、制電材、芳香材等の補助材が混合されてもよい。
【００３７】
以上本発明の態様を説明したが、本発明はその趣旨を逸脱しない範囲で、当業者の知識に基づき種々の改良、修正、変形を加えた態様で実施し得るものであり、これらの態様はいずれも本発明の範囲に属するものである。
【産業上の利用可能性】
【００３８】
本発明の連結パネル構造は養生材やエレベータ室内壁面保護用のパネルとして好適に用いられる。
【００３９】
本発明のパネルジョイント構造は、養生すべき壁やエレベータ室内壁面保護用のパネルのみならず簡便に組み立てて使用するパネル用のジョイントとして広く適用出来る。
【００４０】
本発明のユニットパネルは、養生すべき壁やエレベータ室内壁面保護用のパネルのみならず簡便に組み立てて使用するパネルとして、間仕切り用等にも広く適用出来る。
【００４１】
本発明の連結パネル構造は、簡便に組み立てて使用するパネル構造として、養生すべき壁やエレベータ室内壁面保護用のパネルのみならず間仕切り用等にも広く適用出来る。
【図面の簡単な説明】
【００４２】
【図１】本発明のユニットパネルの態様の一例を示す、図１（ａ）、図１（ｂ）はそれぞれ正面図、平面図である。
【図２】互いに隣接の本発明のユニットパネル同士が連結される態様を示す平面図である。
【図３】互いに隣接の本発明のユニットパネル同士が連結される他の態様を示す平面図である。
【図４】互いに隣接の本発明のユニットパネル同士が連結される更に他の態様を示す平面図である。
【図５】互いに隣接の本発明のユニットパネル同士が連結される又他の態様を示す平面図である。
【図６】本発明のユニットパネルを、保護すべき壁面に沿って保護すべき壁面を覆うように配置した状態を示す平面模式図である。
【図７】エレベータの箱内壁面に本発明の連結パネル構造が配置されコントロールパネルの部分を露出させる態様の一例を示す説明図であり、図７（ａ）は正面模式図、図７（ｂ）は上面模式図である。
【図８】本発明の連結パネル構造をコの字形の壁面３０に配設する操作を説明する上面模式図である。
【図９】本発明のユニットパネルの他の態様の一例を示す平面図である。
【図１０】本発明のユニットパネルの更に他の態様の一例を示す平面図である。
【図１１】本発明のユニットパネルにおける係合部及び被係合部の他の態様の一例を示す平面図である。
【図１２】本発明のユニットパネルにおける係合部及び被係合部の更に他の態様の一例を示す平面図である。
【図１３】本発明のユニットパネルの又更に他の態様の一例を示す斜視模式図である。
【図１４】図１３に示すユニットパネルの連結の状態を示す断面図である。
【図１５】従来のパネルジョイント構造の一例を示す断面図である。
【図１６】従来のパネルジョイント構造の他の一例を示す分解模式図である。
【符号の説明】
【００４３】
２：ユニットパネル
４：パネル板
６：係合部
８：被係合部
１０：一の縁部
１２：他の縁部
１４：筒体
１５：スリット
１６：嵌入体
１８：スリット
２０：小径の筒体
２４：基板
２６：緩衝板
【図１】
2005105693.tif 000003
【図２】
2005105693.tif 000004
【図３】
2005105693.tif 000005
【図４】
2005105693.tif 000006
【図５】
2005105693.tif 000007
【図６】
2005105693.tif 000008
【図７】
2005105693.tif 000009
【図８】
2005105693.tif 000010
【図９】
2005105693.tif 000011
【図１０】
2005105693.tif 000012
【図１１】
2005105693.tif 000013
【図１２】
2005105693.tif 000014
【図１３】
2005105693.tif 000015
【図１４】
2005105693.tif 000016
【図１５】
2005105693.tif 000017
【図１６】
2005105693.tif 000018